(57)【要約】【課題】画像処理装置での画像処理の条件設定を、端末装置側で事前に設定可能とするとともに、複数の人が端末装置で処理条件を設定した場合でも、画像処理装置において、自分の設定した処理条件を確実に呼び出して実施することを可能とする。【解決手段】複合機１と端末装置ＰＣとがネットワークＮＷを介して接続された画像処理システムであって、端末装置ＰＣは、入力部５３から入力した複合機１での画像処理の処理条件を、設定者の認識情報とともに複合機１に送信する。複合機１の機器制御部８は、送信されてきた処理条件及び認識情報をＨＤ装置１２の予約保存領域に保存する一方、操作パネル４から入力された認識情報と予約保存領域に保存されている認識情報とを比較して認証を行い、両認識情報が一致する場合には、その認識情報に対応して予約保存領域に保存されている処理条件に基づいて画像処理を実施する。【選択図】図１
2011234194.tif 000002
【特許請求の範囲】
【請求項１】
画像処理装置と端末装置とがネットワークを介して接続された画像処理システムであって、
前記端末装置は、ユーザーからの操作入力を受け付ける端末側操作入力手段と、前記端末側操作入力手段の操作入力により前記画像処理装置での処理条件を設定する処理条件設定手段と、設定した前記処理条件を設定者の認識情報とともに前記画像処理装置に送信する送信手段とを備え、
前記画像処理装置は、ユーザーからの操作入力を受け付ける画像処理側操作入力手段と、前記端末装置から送信されてきた処理条件及び認識情報を保存する保存手段と、前記画像処理側操作入力手段から入力された認識情報と前記保存手段に保存されている認識情報とを比較して認証を行う認証手段とを備え、前記認証手段での認証の結果、両認識情報が一致する場合には、その認識情報に対応して前記保存手段に保存されている処理条件を前記画像処理側操作入力手段の表示画面に表示することを特徴とする画像処理システム。
【請求項２】
請求項１に記載の画像処理システムであって、
前記画像処理装置は、処理条件の設定画面の情報を前記端末装置に送信する送信手段を備え、
前記端末装置は、前記画像処理装置から送信されてきた設定画面の情報を表示する表示手段を備え、前記表示手段に表示された設定画面に従って前記処理条件の設定が行われることを特徴とする画像形成システム。
【請求項３】
請求項２に記載の画像処理システムであって、
前記表示手段に表示される設定画面は、前記画像処理側操作入力手段に表示される設定画面の表示形態と同じ表示形態であることを特徴とする画像処理システム。
【請求項４】
請求項１から３までのいずれか１項に記載の画像処理システムであって、
前記画像処理装置は、前記保存手段に保存されている設定者ごとの処理条件と認識情報とを、設定履歴として保存する設定履歴保存手段を備え、
前記端末装置から認識情報が送信されてくると、前記設定履歴保存手段に保存されている認識情報と比較し、一致する認識情報がある場合には、一致した認識情報に対応付けられて前記設定履歴保存手段に保存されている処理条件を事前に入力した設定画面の情報を前記端末装置に送信することを特徴とする画像処理システム。
【請求項５】
画像処理装置と端末装置とサーバ装置とがネットワークを介して接続された画像処理システムであって、
前記端末装置は、ユーザーからの操作入力を受け付ける端末側操作入力手段と、前記端末側操作入力手段の操作入力により前記画像処理装置での処理条件を設定する処理条件設定手段と、設定した前記処理条件を設定者の認識情報とともに前記サーバ装置に送信する送信手段とを備え、
前記サーバ装置は、送信されてきた前記処理条件と設定者の認識情報とを保存する保存手段を備え、
前記画像処理装置は、ユーザーからの操作入力を受け付ける画像処理側操作入力手段と、前記サーバ装置に保存されている前記処理条件と設定者の認識情報とを取得する取得手段と、前記画像処理側操作入力手段から入力された認識情報と前記取得手段にて取得した前記認識情報とを比較して認証を行う認証手段とを備え、前記認証手段での認証の結果、両認識情報が一致する場合には、その認識情報に対応して前記取得手段にて取得した前記処理条件を前記画像処理側操作入力手段の表示画面に表示することを特徴とする画像処理システム。
【請求項６】
請求項５に記載の画像処理システムであって、
前記画像処理装置は、処理条件の設定画面の情報を前記端末装置に送信する送信手段を備え、
前記端末装置は、前記画像処理装置から送信されてきた設定画面の情報を表示する表示手段を備え、前記表示手段に表示された設定画面に従って前記処理条件の設定が行われることを特徴とする画像形成システム。
【請求項７】
請求項６に記載の画像処理システムであって、
前記表示手段に表示される設定画面は、前記画像処理側操作入力手段に表示される設定画面の表示形態と同じ表示形態であることを特徴とする画像処理システム。
【請求項８】
請求項５から請求項７までのいずれか１項に記載の画像処理システムであって、
前記サーバ装置は、前記保存手段に保存されている設定者ごとの処理条件と認識情報とを、設定履歴として保存する設定履歴保存手段を備え、
前記画像処理装置は、前記端末装置から認識情報が送信されてくると、前記サーバ装置の前記設定履歴保存手段に保存されている認識情報と比較し、一致する認識情報がある場合には、一致した認識情報に対応付けられて前記設定履歴保存手段に保存されている処理条件を事前に入力した設定画面の情報を前記端末装置に送信することを特徴とする画像処理システム。
【請求項９】
請求項４または８に記載の画像処理システムであって、
前記設定履歴保存手段は、処理条件と認識情報とを設定者ごとに複数件保存可能に設けられていることを特徴とする画像処理システム。
【請求項１０】
請求項９に記載の画像処理システムであって、
前記設定履歴保存手段に保存される複数件の処理条件は、前記画像処理装置の画像形成部でのコピーモード、ファックス送信部でのファックス送信モード、画像読取部での読み取りモードの各モードに対応した処理条件を含むことを特徴とする画像処理システム。
【請求項１１】
請求項４，８，９または１０に記載の画像処理システムであって、
前記設定履歴保存手段は、前記端末装置から送信されてきた処理条件及び認識情報に、前記設定履歴保存手段に保存する旨の指示情報が含まれている場合にのみ、前記処理条件及び認識情報を保存することを特徴とする画像処理システム。
【請求項１２】
請求項１から１１までのいずれか１項に記載の画像処理システムであって、
前記認識情報は、設定者に固有のＩＤ番号、設定者が設定したパスワード、設定者の名前の少なくとも１つ以上であることを特徴とする画像処理システム。
【請求項１３】
端末装置と接続可能な画像処理装置であって、
ユーザーからの操作入力を受け付ける操作入力手段と、
前記端末装置から送信されてきた処理条件及び認識情報を保存する保存手段と、
前記操作入力手段から入力された認識情報と前記保存手段に保存されている認識情報とを比較して認証を行う認証手段とを備え、
前記認証手段での認証の結果、両認識情報が一致する場合には、その認識情報に対応して前記保存手段に保存されている処理条件を前記操作入力手段の表示画面に表示することを特徴とする画像処理装置。
【請求項１４】
予め設定された処理条件と設定者の認識情報とを保存する保存手段を備えたサーバ装置と接続可能な画像処理装置であって、
ユーザーからの操作入力を受け付ける操作入力手段と、
前記サーバ装置の前記保存手段に保存されている前記処理条件と設定者の認識情報とを取得する取得手段と、
前記操作入力手段から入力された認識情報と前記取得手段にて取得した前記認識情報とを比較して認証を行う認証手段とを備え、
前記認証手段での認証の結果、両認識情報が一致する場合には、その認識情報に対応して取得した前記処理条件を前記操作入力手段の表示画面に表示することを特徴とする画像処理装置。
【請求項１５】
画像処理装置と端末装置とがネットワークを介して接続された画像処理システムにおける画像処理予約実施方法であって、
前記端末装置の操作入力手段からユーザーによって入力された認識情報を前記画像処理装置に送信するステップと、
認識情報を受信した前記画像処理装置が前記端末装置に対して処理条件の設定画面の情報を送信するステップと、
送信されてきた設定画面を前記端末装置の表示手段に表示するステップと、
表示された設定画面を用いて前記端末装置の操作入力手段からユーザが設定入力した処理条件と認識情報とを前記画像処理装置に送信するステップと、
送信されてきた処理条件と認識情報とを前記画像処理装置の保存手段に保存するステップと、
前記画像処理装置の操作入力手段からユーザーによって認識情報が入力されると、入力された認識情報と前記保存手段に保存されている認識情報とを認証手段で比較して認証するステップと、
前記認証手段での認証の結果、両認識情報が一致する場合には、その認識情報に対応して前記保存手段に保存されている処理条件を前記操作入力手段の表示画面に表示するステップと、を含むことを特徴とする画像処理予約実施方法。
【請求項１６】
画像処理装置と端末装置とサーバ装置とがネットワークを介して接続された画像処理システムにおける画像処理予約実施方法であって、
前記端末装置の操作入力手段からユーザーによって入力された認識情報を前記画像処理装置に送信するステップと、
認識情報を受信した前記画像処理装置が前記端末装置に対して処理条件の設定画面の情報を送信するステップと、
送信されてきた設定画面を前記端末装置の表示手段に表示するステップと、
表示された設定画面を用いて前記端末装置の操作入力手段からユーザが設定入力した処理条件と認識情報とを前記サーバ装置に送信するステップと、
送信されてきた処理条件と認識情報とを前記サーバ装置の前記保存手段に保存するステップと、
前記画像処理装置の操作入力手段からユーザーによって認識情報が入力されると、入力された認識情報と前記サーバ装置の前記保存手段に保存されている認識情報とを認証手段で比較して認証するステップと、
前記認証手段での認証の結果、両認識情報が一致する場合には、その認識情報に対応して前記保存手段に保存されている処理条件を前記画像処理装置の操作入力手段の表示画面に表示するステップと、を含むことを特徴とする画像処理予約実施方法。
【発明の詳細な説明】
【技術分野】
【０００１】
本発明は、画像処理装置や端末装置、サーバ装置などがネットワークを介して接続された画像処理システムに係り、より詳細には、画像処理装置での画像処理等の条件設定を、端末装置側で事前に設定可能とした画像形成装置、画像処理システム及び処理条件設定実施方法に関する。
【背景技術】
【０００２】
従来、画像処理装置の前で行う画像処理の処理条件の設定を、端末装置側で事前に設定可能としたシステムが提案されている（例えば、特許文献１〜３等参照）。
【０００３】
特許文献１には、複合機（画像処理装置）に接続されたポート端末（端末装置）で、複合機のコピー条件を入力しておき、次いで、複合機の操作パネルのキー操作により、ポート端末で設定したコピー条件を呼び出すことで、複合機でのコピーを可能とした画像形成システムが開示されている。このような構成の画像形成システムによれば、複合機が動作中等の待ち時間の間に、コピー条件の設定が出来るので、その前にいた人の使用が終了すると、直ちに使用が可能となるものである。
【０００４】
また、特許文献２には、複合機（画像処理装置）からジョブの機能情報を携帯端末（端末装置）で受け取り、受け取った携帯端末でジョブに対する機能情報を設定して複合機に送信する画像形成システムが開示されている。このような構成の画像形成システムによれば、複合機の操作画面でなくても印刷指示等のジョブの機能情報の設定ができるので、複合機の操作パネルが簡略なものや、故障していても、ジョブを実行することが可能となる。
【０００５】
また、特許文献３には、ネットワーク上のパソコン（端末装置）に複合機（画像処理装置）の設定画面を表示し、この設定画面からコピー条件の入力と印刷の開始指令を行う画像形成装置が開示されている。このような構成の画像形成装置によれば、複合機の操作画面でなくても印刷指示ができるので、操作パネルが簡略なものや、故障していても、印刷を行うことが可能となる。
【先行技術文献】
【特許文献】
【０００６】
【特許文献１】特開２００７−１１０６１７号公報
【特許文献２】特開２００７−７４１６２号公報
【特許文献３】特開平９−１８５４６９号公報
【発明の概要】
【発明が解決しようとする課題】
【０００７】
しかし、特許文献１〜３記載のものは、複数の人がそれぞれの端末装置でそれぞれ処理条件を設定した場合、すなわち、画像処理装置に複数の処理条件が重複して設定された場合を想定していない。
【０００８】
すなわち、特許文献１記載のものは、ポート端末でコピー条件を入力した後、複合機の前まで行って、複合機の操作パネルに表示されている開始（スタート）キーを押し下げすることにより、画像処理を開始するようになっている。そのため、複数の処理条件が設定されている場合には、どの処理条件でコピーが開始されるかがユーザー側では分からないため、開始キーを押し下げしても、コピーされた内容が自分の所望するものとは異なっている可能性がある。すなわち、自分の設定した内容のものが印刷されるかどうか分からないといった問題があった。
【０００９】
また、特許文献２記載のものは、複合機（画像処理装置）からジョブの機能情報を携帯端末（端末装置）で受け取り、受け取った携帯端末でジョブに対する機能情報を設定して複合機に送信し、次いで、スタート指示を携帯端末から送信することで、複合機が印刷を開始するようになっている。または、ジョブに対する機能情報を設定して複合機に送信後、複合機の前まで行って、表示されている「スタートキー」を押し下げすることで、複合機が印刷を開始するようになっている。この場合、複数の処理条件が設定されていると、印刷はその設定順に行われるため、携帯端末のユーザーが印刷の開始指令後直ちに画像形成装置の前まで行ったとしても、自分の設定した印刷が開始されているとは限らない。また、複合機の前まで行って、表示されている「スタートキー」を押し下げしても、それによって開始される処理動作が、自分の設定したジョブの処理動作であるかどうかは分からないため、他人の印刷物を持ち去ってしまう可能性もあるといった問題があった。逆に言えば、他人に自分の印刷物を持ち去られてしまう可能性もあるといった問題があった。
【００１０】
また、特許文献３記載のものは、パソコン（端末装置）に表示された設定画面からコピー条件の入力と印刷の開始指令を行うことにより、画像形成装置が印刷を開始するようになっている。そのため、複数の処理条件が設定されていた場合、印刷はその設定順に行われるため、パソコンのユーザーが印刷の開始指令後直ちに画像形成装置の前まで行ったとしても、自分の設定した印刷が開始されているとは限らない。また、少ししてから画像形成装置の前まで行った場合には、他の人の印刷物に紛れて持ち去られている可能性もあるといった問題があった。
【００１１】
本発明はかかる問題点を解決すべく創案されたもので、その目的は、画像処理装置での画像処理の条件設定を、端末装置側で事前に設定可能とするとともに、複数の人が端末装置で処理条件を設定した場合でも、画像処理装置側で自分の設定した処理条件を確実に呼び出して実施することのできる画像処理装置、画像処理システム及び処理条件設定実施方法を提供することにある。
【課題を解決するための手段】
【００１２】
上記課題を解決するため、本発明の画像処理システムは、画像処理装置と端末装置とがネットワークを介して接続された画像処理システムであって、前記端末装置は、ユーザーからの操作入力を受け付ける端末側操作入力手段と、前記端末側操作入力手段の操作入力により前記画像処理装置での処理条件を設定する処理条件設定手段と、設定した前記処理条件を設定者の認識情報とともに前記画像処理装置に送信する送信手段とを備え、前記画像処理装置は、ユーザーからの操作入力を受け付ける画像処理側操作入力手段と、前記端末装置から送信されてきた処理条件及び認識情報を保存する保存手段と、前記画像処理側操作入力手段から入力された認識情報と前記保存手段に保存されている認識情報とを比較して認証を行う認証手段とを備え、前記認証手段での認証の結果、両認識情報が一致する場合には、その認識情報に対応して前記保存手段に保存されている処理条件を前記画像処理側操作入力手段の表示画面に表示することを特徴としている。
【００１３】
また、本発明の画像処理システムは、画像処理装置と端末装置とサーバ装置とがネットワークを介して接続された画像処理システムであって、前記端末装置は、ユーザーからの操作入力を受け付ける端末側操作入力手段と、前記端末側操作入力手段の操作入力により前記画像処理装置での処理条件を設定する処理条件設定手段と、設定した前記処理条件を設定者の認識情報とともに前記サーバ装置に送信する送信手段とを備え、前記サーバ装置は、送信されてきた前記処理条件と設定者の認識情報とを保存する保存手段を備え、前記画像処理装置は、ユーザーからの操作入力を受け付ける画像処理側操作入力手段と、前記サーバ装置に保存されている前記処理条件と設定者の認識情報とを取得する取得手段と、前記画像処理側操作入力手段から入力された認識情報と前記取得手段にて取得した前記認識情報とを比較して認証を行う認証手段とを備え、前記認証手段での認証の結果、両認識情報が一致する場合には、その認識情報に対応して前記取得手段にて取得した前記処理条件を前記画像処理側操作入力手段の表示画面に表示することを特徴としている。
【００１４】
このような特徴を有する本発明によれば、端末装置側で予め処理条件を設定しておき、その設定された処理条件を、画像処理装置の予約保存手段、または、サーバ装置の予約保存手段に保存しておくことができるので、画像処理装置の前にきたときには、その設定した処理条件を読み出す操作のみで、画像処理を実施することができる。従って、画像処理装置の前での操作時間が短縮され、素早く画像処理を実施して、終了することができる。また、画像処理装置の前で認識情報を入力することにより、認識情報の一致した処理条件を呼び出して画像処理を実施できるので、複数の人が端末装置で処理条件を設定した場合でも、自分の設定した処理条件のみを呼び出して、確実に実施することができる。
【００１５】
また、予め端末装置側で画像処理装置の処理条件を設定できるので、他のユーザーの使用状況を気にすることなく、処理条件の内容を時間をかけて確認することができる。従って、処理条件の設定ミスを防止することができ、また、画像処理する資料の質を高めることができる。例えば、簡単な打ち合わせに使う程度の参考資料であれば、２ｉｎ１コピー（例えば、Ｂ４横の用紙の左右にＢ５縦サイズの画像をそれぞれ印刷すること）や両面コピー等を設定し、会議に提出する重要な資料であれば、新しい紙に印刷する等、細かな設定まで、時間をかけて行うことができる。さらに、枠消しや、ホッチキス止めを設定する等、提出資料の用途に応じてさらに細かな設定まで時間をかけて行うことができる。
【００１６】
なお、設定する処理条件には、濃度選択や用紙選択といった画像処理に直接関連する条件の他に、ステープル処理や穴あけ処理といった画像形成後の用紙を加工する処理なども含まれる。従って、以下の説明では、用紙への画像形成のみならず、その後のステープル処理や穴あけ処理なども含めて、便宜上、画像処理と称することにする。
【００１７】
また、本発明によれば、前記画像処理装置は、処理条件の設定画面の情報を前記端末装置に送信する送信手段を備え、前記端末装置は、前記画像処理装置から送信されてきた設定画面の情報を表示する表示手段を備え、前記表示手段に表示された設定画面に従って前記処理条件の設定が行われる構成としている。
【００１８】
このような構成とすれば、端末装置は、画像処理装置から送信されてきた設定画面の情報を表示手段に表示することにより、画像処理側操作入力手段の表示形態と同じ表示形態の設定画面を表示手段に表示することが可能となる。これにより、画像処理装置の処理条件を設定するユーザー（設定者）は、画像処理装置の前で画像処理側操作入力手段を操作して設定しているのと同じ操作環境で、各種処理条件を設定することができる。
【００１９】
また、本発明によれば、前記表示手段に表示される設定画面は、前記画像処理側操作入力手段に表示される設定画面の表示形態と同じ表示形態としてもよい。
【００２０】
このような構成とすれば、端末装置の表示手段には、画像処理側操作入力手段の表示形態と同じ表示形態の設定画面が表示されるので、画像処理装置の処理条件を設定するユーザー（設定者）は、画像処理装置の前で画像処理側操作入力手段を操作して設定しているのと同じ操作環境で、各種処理条件を設定することができ、設定ミスもなく、使い勝手のよいユーザーインターフェースを提供することができる。
【００２１】
また、本発明によれば、前記画像処理装置は、前記予約保存手段に保存されている設定者ごとの処理条件と認識情報とを、画像処理実施後も設定履歴として保存する設定履歴保存手段を備え、前記端末装置から認識情報が送信されてくると、前記設定履歴保存手段に保存されている認識情報と比較し、一致する認識情報がある場合には、その認識情報に対応付けられている処理条件を入力した設定画面の情報を前記端末装置に送信する構成とすることができる。
【００２２】
このような構成とすれば、画像処理を実施しようとしたユーザーが、端末装置から画像処理装置に認識情報を送信すると、画像処理装置では、設定履歴保存手段に保存されている認識情報と比較し、一致する認識情報がある場合には、その認識情報に対応付けて保存されている処理条件を事前に設定画面に入力して端末装置に送信する。従って、端末装置のユーザーは、自身が以前に設定した処理条件が事前に入力されているので、変更の必要が無い場合には、何ら設定操作を行うことなく、今回の画像処理の処理条件を設定できることになる。また、変更がある場合でも、変更部分の処理条件項目のみを設定すれば良いので、処理条件の設定時間を短縮することが可能である。
【００２３】
また、本発明によれば、前記設定履歴保存手段は、処理条件と認識情報とが設定者ごとに複数件保存可能に設けられた構成とすることができる。
【００２４】
このような構成とすれば、画像処理の処理条件の設定（いわゆる予約設定）を行うために、端末装置から画像処理装置に認識情報を送信した場合、画像処理装置は、その認識情報に対応して複数件の処理条件の設定履歴が設定履歴保存手段に保存されている場合には、保存されている複数件の処理条件の全てを事前に入力した設定画面を端末装置に送信することができる。従って、端末装置のユーザーは、複数件の処理条件が事前に入力された設定画面を用いて所望する画像処理の処理条件を設定することができるので、変更の必要のない処理条件項目についてはそのまま利用することができるため、処理条件の設定操作を簡略化し、処理条件の設定時間を短縮することが可能となる。
【００２５】
また、本発明によれば、前記設定履歴保存手段に保存される複数件の処理条件は、前記画像処理装置の画像形成部でのコピーモード、ファックス送信部でのファックス送信モード、画像読取部での読み取りモードの各モードに対応した処理条件を含む構成とすることができる。
【００２６】
このような構成とすれば、画像処理の処理条件の設定（いわゆる予約設定）を行うために、端末装置から画像処理装置に認識情報を送信した場合、画像処理装置は、その認識情報に対応したコピーモード、ファックス送信モード、読み取りモードの各モードに対応する処理条件の設定履歴が設定履歴保存手段に保存されている場合には、保存されている各モードの処理条件を事前に入力した設定画面を端末装置に送信することができる。従って、端末装置のユーザーは、各モードの処理条件が事前に入力された設定画面を用いて所望するモードの処理条件を設定することができるので、変更の必要のない処理条件項目についてはそのまま利用することができるため、処理条件の設定操作を簡略化し、処理条件の設定時間を短縮することが可能となる。
【００２７】
また、本発明によれば、前記設定履歴保存手段は、前記端末装置から送信されてきた処理条件及び認識情報に、前記設定履歴保存手段に保存する旨の指示情報が含まれている場合にのみ、前記処理条件及び認識情報を前記設定履歴保存手段に保存する構成とすることができる。
【００２８】
このような構成とすれば、設定履歴保存手段に保存する処理条件を、端末装置を使用するユーザー側で決定できるので、例えば、ユーザーが良く使用する処理条件のみをユーザー側の判断で保存することができる。
【００２９】
また、本発明によれば、前記認識情報は、設定者に固有のＩＤ番号、設定者が設定したパスワード、設定者の名前の少なくとも１つ以上とすることができる。
【００３０】
このような構成とすれば、画像処理装置の前によるユーザーの認証を確実に行うことができる。また、ユーザーにとっても、自分のＩＤ番号や自分の設定したパスワード、自分の名前等、分かりやすい認識情報であるので、認識情報の入力ミスも少なく、確実に認証を行うことができる。
【００３１】
また、本発明の画像処理装置は、端末装置と接続可能な画像処理装置であって、ユーザーからの操作入力を受け付ける操作入力手段と、前記端末装置から送信されてきた処理条件及び認識情報を保存する保存手段と、前記操作入力手段から入力された認識情報と前記保存手段に保存されている認識情報とを比較して認証を行う認証手段とを備え、前記認証手段での認証の結果、両認識情報が一致する場合には、その認識情報に対応して前記保存手段に保存されている処理条件を前記操作入力手段の表示画面に表示することを特徴としている。
【００３２】
また、本発明の画像処理装置は、予め設定された処理条件と設定者の認識情報とを保存する保存手段を備えたサーバ装置と接続可能な画像処理装置であって、ユーザーからの操作入力を受け付ける操作入力手段と、前記サーバ装置の前記保存手段に保存されている前記処理条件と設定者の認識情報とを取得する取得手段と、前記操作入力手段から入力された認識情報と前記取得手段にて取得した前記認識情報とを比較して認証を行う認証手段とを備え、前記認証手段での認証の結果、両認識情報が一致する場合には、その認識情報に対応して取得した前記処理条件を前記操作入力手段の表示画面に表示することを特徴としている。
【００３３】
また、本発明の処理条件設定実施方法は、画像処理装置と端末装置とがネットワークを介して接続された画像処理システムにおける画像処理予約実施方法であって、前記端末装置の操作入力手段からユーザーによって入力された認識情報を前記画像処理装置に送信するステップと、認識情報を受信した前記画像処理装置が前記端末装置に対して処理条件の設定画面の情報を送信するステップと、送信されてきた設定画面を前記端末装置の表示手段に表示するステップと、表示された設定画面を用いて前記端末装置の操作入力手段からユーザが設定入力した処理条件と認識情報とを前記画像処理装置に送信するステップと、送信されてきた処理条件と認識情報とを前記画像処理装置の保存手段に保存するステップと、前記画像処理装置の操作入力手段からユーザーによって認識情報が入力されると、入力された認識情報と前記保存手段に保存されている認識情報とを認証手段で比較して認証するステップと、前記認証手段での認証の結果、両認識情報が一致する場合には、その認識情報に対応して前記保存手段に保存されている処理条件を前記操作入力手段の表示画面に表示するステップと、を含むことを特徴としている。
【００３４】
また、本発明の処理条件設定実施方法は、画像処理装置と端末装置とサーバ装置とがネットワークを介して接続された画像処理システムにおける画像処理予約実施方法であって、前記端末装置の操作入力手段からユーザーによって入力された認識情報を前記画像処理装置に送信するステップと、認識情報を受信した前記画像処理装置が前記端末装置に対して処理条件の設定画面の情報を送信するステップと、送信されてきた設定画面を前記端末装置の表示手段に表示するステップと、表示された設定画面を用いて前記端末装置の操作入力手段からユーザが設定入力した処理条件と認識情報とを前記サーバ装置に送信するステップと、送信されてきた処理条件と認識情報とを前記サーバ装置の前記保存手段に保存するステップと、前記画像処理装置の操作入力手段からユーザーによって認識情報が入力されると、入力された認識情報と前記サーバ装置の前記保存手段に保存されている認識情報とを認証手段で比較して認証するステップと、前記認証手段での認証の結果、両認識情報が一致する場合には、その認識情報に対応して前記保存手段に保存されている処理条件を前記画像処理装置の操作入力手段の表示画面に表示するステップと、を含むことを特徴としている。
【００３５】
このような特徴を有する本発明によれば、端末装置は、画像処理装置から送信されてきた設定画面の情報を表示手段に表示することにより、画像処理側操作入力手段の表示形態と同じ表示形態の設定画面を表示手段に表示することが可能となる。これにより、画像処理装置の処理条件を設定するユーザー（設定者）は、画像処理装置の前で画像処理側操作入力手段を操作して設定しているのと同じ操作環境で、各種処理条件を設定することができる。そして、このように設定された処理条件を画像処理装置の予約保存手段に保存しておくことができるので、画像処理装置の前にきたユーザーは、認識情報を入力して保存しておいた処理条件を読み出す操作のみで、処理条件に合った画像処理を即座に実施することが可能である。従って、画像処理装置の前での操作時間が短縮され、素早く画像処理を実施し、終了することができる。また、予め端末装置側で画像処理装置の処理条件を設定できるので、他のユーザーの使用状況を気にすることなく、処理条件の内容を時間をかけて確認することができる。従って、処理条件の設定ミスを防止することができ、また、画像処理する資料の質を高めることができる。例えば、簡単な打ち合わせに使う程度の参考資料であれば、２ｉｎ１コピー（例えば、Ｂ４横の用紙の左右にＢ５縦サイズの画像をそれぞれ印刷すること）や両面コピー等を設定し、会議に提出する重要な資料であれば、新しい紙に印刷する等、細かな設定まで、時間をかけて行うことができる。さらに、枠消しや、ホッチキス止めを設定する等、提出資料の用途に応じてさらに細かな設定まで時間をかけて行うことができる。
【発明の効果】
【００３６】
本発明によれば、端末装置側で予め処理条件を設定しておき、その設定された処理条件を画像処理装置の予約保存手段に保存しておくことができるので、画像処理装置の前にきたときには、その設定した処理条件を読み出す操作のみで、画像処理を実施することができる。従って、画像処理装置の前での操作時間が短縮され、素早く画像処理を実施し、終了することができる。また、画像処理装置の前で認識情報を入力することにより、認識情報の一致した処理条件を呼び出して画像処理を実施できるので、複数の人が端末装置で処理条件を設定した場合でも、自分の設定した処理条件を呼び出して、確実に画像処理を実施することができる。また、予め端末装置側で画像処理装置の処理条件を設定できるので、他のユーザーの使用状況を気にすることなく、処理条件の内容を時間をかけて確認することができる。従って、処理条件の設定ミスを防止することができ、また、画像処理する資料の質を高めることができる。
【図面の簡単な説明】
【００３７】
【図１】画像処理装置と端末装置とがネットワークを介して接続された実施形態１に係る画像処理システムの概略構成を示す機能ブロック図である。
【図２】図１に示すデジタル複合機の操作部を示す平面図である。
【図３】実施形態１において、画像処理の条件設定を端末装置側で事前に設定する予約設定処理手順を示すフローチャートである。
【図４】端末装置の表示部に表示される操作パネルの表示例を示す説明図である。
【図５】端末装置の表示部に表示される操作パネルの表示例を示す説明図である。
【図６Ａ】処理条件設定画面の機能設定キーからファックス／イメージ送信キーを選択した場合に表示される処理条件設定画面例の説明図である。
【図６Ｂ】図６Ａに示す処理条件設定画面の用紙選択キーを選択した場合に表示される処理条件設定画面例の説明図である。
【図７】ＨＤ装置の予約保存領域に保存されている処理条件の設定情報の一例を示す説明図である。
【図８】予約した処理条件を呼び出して画像処理を実施する処理手順を示すフローチャートである。
【図９】複合機の操作パネルの表示例を示す説明図である。
【図１０Ａ】複合機の操作パネルの表示例を示す説明図である。
【図１０Ｂ】複合機の操作パネルの表示例を示す説明図である。
【図１１】端末装置の表示部に表示される複合機の操作パネルに対応した表示形態の内容確認画面の説明図である。
【図１２】ＨＤ装置の設定履歴保存領域に保存されている処理条件の設定情報の一例を示す説明図である。
【図１３】設定履歴保存領域に保存されている処理条件の設定情報を利用して、画像処理の条件設定を端末装置側で事前に設定する予約設定処理手順を示すフローチャートである。
【図１４】画像処理装置と端末装置とサーバ装置とがネットワークを介して接続された実施形態２に係る画像処理システムの概略構成を示す機能ブロック図である。
【図１５】実施形態２において、画像処理の条件設定を端末装置側で事前に設定する予約設定処理手順を示すフローチャートである。
【図１６】予約した処理条件を呼び出して画像処理を実施する処理手順を示すフローチャートである。
【図１７】設定履歴保存領域に保存されている処理条件の設定情報を利用して、画像処理の条件設定を端末装置側で事前に設定する予約設定処理手順を示すフローチャートである。
【発明を実施するための形態】
【００３８】
以下、本発明の実施形態について添付図面を参照しつつ説明する。なお、以下の実施形態は、本発明を具体化した一例であって、本発明の技術的範囲を限定する性格のものではない。
【００３９】
＜実施形態１＞
図１は、画像処理装置と端末装置とがネットワークを介して接続された本発明の実施形態１に係る画像処理システムの概略構成を示す機能ブロック図である。
【００４０】
実施形態１では、画像処理装置をデジタル複合機に適用し、端末装置をパーソナルコンピュータに適用した場合について説明する。
【００４１】
［デジタル複合機の全体構成の説明］
図１に示すデジタル複合機（以下、単に複合機という。）１は、画像読取部２、操作部４、画像形成部６、機器制御部８、通信部１０、記憶装置であるハードディスク（ＨＤ）装置１２、管理部１４及び消去手段２２を備えている。
【００４２】
画像読取部２は、撮像素子（ここではＣＣＤ）２ａ、原稿検知センサー２ｂ及び信号発生回路２ｃを備えており、原稿の画像を画像データとして読み取り、読み取った画像データを画像形成部６に出力するようになっている。原稿検知センサー２ｂは、図示しない原稿台や自動原稿送り装置などの読み取り位置にセットされた原稿の有無を検知するようになっている。ＣＣＤ２ａは、原稿検知センサー２ｂにより原稿が検出され、現行の読み取りが指示されると、信号発生回路２ｃからの信号に同期動作して光学的に走査される原稿の画像を読み取り、読み取った画像データを出力するようになっている。
【００４３】
図２は、図１に示す複合機１の操作部４を示す平面図である。この操作部４（、以下、操作パネルともいう。）には、図２に示すように、ユーザーからの操作入力を受け付ける入力部４ａ及び表示部４ｂが設けられている。入力部４ａは、プリンターモード、ファックス／イメージ送信モード、コピーモード等の機能を設定するための機能設定キー４１、システム設定キー４２、テンキー４３、クリアキー４４、スタートキー４５等のキー群を備えている。また、表示部４ｂは、画面上に表示される表示領域へのユーザーによる入力操作により該画面から選択入力されるように構成されている。ここでは、表示部４ｂは、タッチパネル式の表示装置となっている。入力部４ａは、表示部４ｂの画面上に重ねて設けられた透明なタッチパネル（図示せず）を含んで構成されている。すなわち、入力部４ａは、表示部４ｂに表示されているキー４６の入力操作の他、後述する表示領域の画面切り替えによって表示される各種キーの入力操作も可能な構成となっている。これらのキー操作による入力指示は、機器制御部８に通知されるようになっている。なお、図２における表示部４ｂの表示内容は、初期状態のものである。
【００４４】
画像形成部６は、画像データを処理して用紙に画像形成するものである。具体的には、画像形成部６は、画像データを記憶するメモリ６ａと、レーザ光により画像データに基づく静電潜像を図示しない像担持体（感光体）に書き込むレーザ走査ユニット（ＬＳＵ）を有する印字部６ｂと、メモリ６ａ内の画像データに対して適時に各種の画像処理を施す画像処理部６ｃとを備えている。画像形成部６は、画像読取部２及び外部の端末装置ＰＣ，…，ＦＡＸ，…からの画像データを、メモリ６ａを介して一旦ＨＤ装置１２に記憶し、このＨＤ装置１２に記憶した画像データを再びメモリ６ａを介して印字部６ｂに転送するようになっている。印字部６ｂでは、電子写真方式による記録が行われる。すなわち、印字部６ｂは、画像データがＬＳＵに入力されると、一様に帯電された感光体表面にＬＳＵのレーザ光を走査して静電潜像を形成し、該感光体上の静電潜像をトナーにて現像して顕像化し、さらに該感光体上に顕像化したトナー像を感光体から用紙に転写した後、加熱及び加圧して定着するようになっている。
【００４５】
機器制御部８は、ＣＰＵ等のプロセッサと、ＲＯＭ、ＲＡＭ等の記憶部とを備えている。機器制御部８は、複合機１の統合的な制御を行うものであり、複合機１が備えるコピー機能（コピーモード）、スキャナー機能（スキャナモード）、ファクシミリ機能（ファクシミリモード）、プリンター機能（プリンターモード）などの各機能（モード）の動作を制御するようになっている。
【００４６】
具体的に説明すると、機器制御部８は、操作パネル４の入力部（例えばタブレット、キー群等）４ａの操作による入力指示を監視すると共に、外部の端末装置ＰＣ，…から通信部１０を通じての入力指示を監視し、これらの入力指示に応答して各種のモードのいずれかを適宜に実行し、画像読取部２、画像形成部６及び通信部１０等の各部を制御するようになっている。さらに、機器制御部８は、各モードの実行に際し、複合機１の状態に関する情報、使用者に通知すべき情報等の表示情報を操作パネル４の表示部４ｂに的確に案内表示するようになっている。
【００４７】
通信部１０は、ネットワークＮＷに接続されたＮＩＣ（ネットワーク・インターフェース・コントロール）１０ａを介してパーソナルコンピュータ（ＰＣ）等の複数の端末装置ＰＣ，…に接続されている。また、通信部１０は、ネットワークＮＷを介して若しくは直接的にインターネットＩＮに（図１の例ではネットワークＮＷを介してインターネットＩＮに）接続されている。インターネットＩＮには複数の端末装置ＰＣ，…やインターネットファクシミリ装置（以下、単にファクシミリ装置という。）ＦＡＸ，…が接続されている。そして、通信部１０は、端末装置ＰＣ，…やファクシミリ装置ＦＡＸ，…からの画像データを、ネットワークＮＷやインターネットＩＮを介して送受信するようになっている。また、通信部１０は、電話回線網ＴＷに接続されたファクシミリモデム１０ｂを有している。電話回線網ＴＷには複数のファクシミリ装置ＦＡＸ，…が接続されている。通信部１０は、ファクシミリ装置ＦＡＸ，…からの画像データを、電話回線網ＴＷを介して送受信するようになっている。
【００４８】
ＨＤ装置１２は、画像データを一時記憶するためのものである。管理部１４は、機器制御部８により制御される各部に関する情報を管理している。機器制御部８は、管理部１４にて管理された情報をもとに、複合機１全体の動作を制御することができる。また、消去部２２は、ＨＤ装置１２内のデータの消去を実行するためのものである。
【００４９】
すなわち、実施形態の複合機１は、原稿の画像を読み取って記録用紙等のシート（ここでは用紙）に印刷するコピーモード、端末装置ＰＣ，…からの画像を受信して用紙に記録するプリンターモード、原稿の画像を読み取って端末装置ＰＣ，…に送信するスキャナーモード、及び原稿の画像を読み取ってファクシミリ装置ＦＡＸ，…に送信すると共に、原稿の画像をファクシミリ装置ＦＡＸ，…から受信して用紙に印刷するファクシミリモードを選択的に実行できるように構成されている。
【００５０】
以上説明した複合機１において、複写機として動作するコピーモードが実行される場合には、画像読取部２により原稿の画像を画像データとして読み取る。この画像データは、揮発性のメモリ６ａに一旦蓄積され、符号化処理を施されてから、ＨＤ装置１２に記憶される。原稿が複数枚ある場合は、枚数分の原稿の読み取りが繰り返し行われ、複数枚の原稿の画像を示すそれぞれの画像データがＨＤ装置１２に記憶される。
【００５１】
その後、操作パネル４から指示された処理内容に従って、ＨＤ装置１２に記憶された画像データが適切なタイミングで読み出され、復号化処理が施されてメモリ６ａに記憶される。そして、画像形成部６における印字部６ｂのＬＳＵの書き込みタイミングに合わせて、画像データがメモリ６ａから印字部６ｂへと転送される。同様に、原稿が複数枚ある場合も、処理内容に従って、枚数分の画像データがＨＤ装置１２からメモリ６ａへと順次転送され、さらに画像データが印字部６ｂのＬＳＵの書き込みタイミングに合わせて繰り返し印字部６ｂへと順次転送される。そして、図示しない給紙トレイまたは手差しトレイからシート搬送路にて搬送されてきた用紙に印字部６ｂにて画像データに対応する画像が形成された後、該用紙が複写物Ｐとして排出トレイ２３に排出される。
【００５２】
また、プリンターとして動作するプリンターモードが実行される場合には、外部の端末装置ＰＣ，…からの画像データを通信部１０で受信する。通信部１０で受信した画像データは、機器制御部８を経由してページ単位でメモリ６ａへと転送されて一旦蓄積される。
【００５３】
以降、コピーモードの場合と同様に、画像データは、符号化処理を施されてからＨＤ装置１２に記憶され、この後、ＨＤ装置１２から読み出され、復号化処理を施されてメモリ６ａへと転送され、さらに印字部６ｂのＬＳＵの書き込みタイミングに合わせて印字部６ｂへと転送される。そして、シート搬送路３０にて搬送されてきた用紙に印字部６ｂにて画像データに対応する画像が形成され、該用紙が複写物Ｐとして排出トレイ２３に排出される。
【００５４】
また、スキャナーとして動作するスキャナーモードが実行される場合には、画像読取部２により原稿の画像を読み取り、この読み取った画像データをメモリ６ａ及びＨＤ装置１２、及び機器制御部８を経由して通信部１０に送信し、通信部１０からネットワークＮＷやインターネットＩＮを介して所望の宛先の端末装置へと送信される。
【００５５】
この場合も、画像データは、メモリ６ａへと転送されて一旦蓄積され、符号化処理を施されてからＨＤ装置１２に記憶され、この後、ＨＤ装置１２から読み出され、復号化処理を施されてメモリ６ａへと転送される。通信部１０は、操作パネル４の操作により指示された宛先の端末装置とのネットワーク上の通信回線を確立させた後、画像データをメモリ６ａから受け取って、宛先の端末装置へと送信する。
【００５６】
さらに、ファクシミリ装置として動作するファクシミリモードが実行される場合には、画像読取部２により原稿の画像を読み取り、この読み取った画像データをメモリ６ａ、ＨＤ装置１２及び機器制御部８を経由して通信部１０に送信する。
【００５７】
通信部１０は、操作パネル４の操作により指示された宛先のファクシミリ装置ＦＡＸ，…との電話回線上の通信回線を確立させた後、画像データをメモリ６ａから受け取ってファクシミリモデム１０ｂに入力し、該画像データをファクシミリモデム１０ｂで符号化してから宛先のファクシミリ装置ＦＡＸ，…へと送信する。
【００５８】
一方、通信部１０は、着呼を受けると、発呼側のファクシミリ装置ＦＡＸ，…との電話回線上の通信回線を確立させた後、ファクシミリ装置ＦＡＸ，…からの画像データを受信してファクシミリモデム１０ｂで復号化し、この符号化した画像データを、機器制御部８を経由してメモリ６ａに転送して蓄積する。この画像データは、符号化処理を施されてからＨＤ装置１２に記憶され、この後、ＨＤ装置１２から読み出され、復号化処理を施されてメモリ６ａへと転送され、さらに印字部６ｂのＬＳＵの書き込みタイミングに合わせて印字部６ｂへと転送される。そして、シート搬送路３０にて搬送されてきた用紙に印字部６ｂにて画像データに対応する画像が形成され、該用紙が複写物Ｐとして排出トレイ２３に排出される。
【００５９】
なお、図１に示す複合機１では、画像データを一時的に記憶する記憶部としてＨＤ装置１２を設けているが、これに限定されるものではなく、画像データを保存蓄積することができる不揮発性のメモリ、バックアップ機能の付いたメモリ、磁気記憶媒体を用いたその他の記憶部や記録媒体を備えるものであっても、同様の動作を行うことが可能である。
【００６０】
［端末装置の全体構成の説明］
端末装置ＰＣは、装置全体の統合的な制御を行う装置制御部５１に、バス５９を介して、複合機１と情報を送受信するためのＬＡＮカード等の通信部５２、ユーザーからの操作入力を受け付けるキーボード等の入力部５３、液晶ディスプレイ等の表示部５４、主記憶部であるＲＡＭ５５、ＲＯＭ５６、及び、補助記憶部５７が接続されている。補助記憶部５７としては、例えばハードディスク等を適用することができるが、端末装置ＰＣに着脱可能な記録媒体（ＣＤ、ＤＶＤ、半導体メモリ等）であってもよい。
【００６１】
装置制御部５１は、バス５９を介して接続された上記各部を制御するとともに、ＲＯＭ５６に格納された制御プログラム５６ａに従って、種々のソフトウェアを実行する。また、ＲＯＭ５６には、複合機１用のプリンタドライバ５６ｂがインストールされている。
【００６２】
この端末装置ＰＣを用いて印刷を行う場合、ユーザーが入力部５３を操作することにより、例えば補助記憶部５７に記憶されている印刷データを読み出して複合機１へ送信することにより実行される。
【００６３】
以上が、本実施形態の画像処理システムを構成する複合機１及び端末装置ＰＣの全体構成の説明である。
【００６４】
次に、本発明の特徴である画像処理等の処理条件の設定処理（以下、予約設定処理ともいう。）及び予約された処理条件による画像処理の実施処理について説明する。
【００６５】
［処理条件の設定処理（予約設定処理）の具体例１に係る説明］
上記構成の画像処理システムにおいて、具体例１では、端末装置ＰＣの装置制御部５１は、ＲＯＭ５６の制御プログラム５６ａに従って、操作パネル４による操作入力により複合機１での処理条件を設定する処理条件設定処理を実行するとともに、設定された処理条件を設定者（操作入力を行ったユーザー）の入力した認識情報とともに通信部５２を介して複合機１に送信する処理を実行する。認識情報としては、設定者に固有のＩＤ番号、設定者が設定したパスワード、設定者の名前、の少なくとも１つ、または２つ以上を組み合わせて用いることができる。このような認識情報を用いると、設定者は、自分のＩＤ番号や自分の設定したパスワード、自分の名前等、分かりやすい認識情報であるので、認識情報の入力ミスも少なくなり、確実に認証を行うことができる。
【００６６】
一方、複合機１の機器制御部８は、端末装置ＰＣから送信されてきた処理条件及び認識情報を、予約保存手段であるＨＤ装置１２内の所定の領域（以下、予約保存領域という。）に保存するとともに、操作パネル４から入力された認識情報とＨＤ装置１２の予約保存領域に保存されている認識情報とを比較し、両認識情報が一致する場合には、その認識情報に対応してＨＤ装置１２に保存されている処理条件に基づき、画像形成部６を制御して画像処理を実施するようになっている。
【００６７】
このような構成とすれば、端末装置ＰＣ側で予め処理条件を設定しておき、その設定された処理条件を複合機１のＨＤ装置１２に保存しておくことができるので、ユーザーが複合機１の前にきたときには、その設定した処理条件を読み出す操作のみで、画像処理を実施することができる。従って、複合機１の前での操作時間が短縮され、素早く画像処理を実施し、終了することができる。また、複合機１の前で認識情報を入力することにより、認識情報の一致した処理条件を呼び出して画像処理を実施できるので、複数の人が端末装置ＰＣで処理条件を設定した場合でも、自分の設定した処理条件を呼び出して、確実に画像処理を実施することができる。
【００６８】
また、予め端末装置ＰＣ側で複合機１の処理条件を設定できるので、他のユーザーの使用状況を気にすることなく、処理条件の内容を時間をかけて確認することができる。従って、処理条件の設定ミスを防止することができ、また、画像処理する資料の質を高めることができる。
【００６９】
この場合、具体例１では、複合機１の機器制御部８は、処理条件の設定画面の情報を端末装置ＰＣに送信し、端末装置ＰＣは、複合機１から送信されてきた処理条件の設定画面の情報を表示部５４に表示し、その表示された処理条件の設定画面（以下、処理条件設定画面ともいう。）に従ってユーザーが処理条件の設定を行う構成としている。
【００７０】
このような構成とすれば、端末装置ＰＣは、複合機１から送信されてきた処理条件設定画面の情報を表示部５４に表示することにより、複合機１の操作パネル４の表示形態と同じ表示形態の処理条件設定画面を表示部５４に表示することができる。これにより、複合機１の処理条件を設定するユーザー（設定者）は、複合機１の前で操作パネル４を操作して設定しているのと同じ操作環境で、各種処理条件を設定することができるので、設定ミスもなく、使い勝手のよいユーザーインターフェースを提供することができる。
【００７１】
次に、（１）複合機１での画像処理の条件設定を端末装置ＰＣ側で事前に設定する予約設定処理手順、及び、（２）予約設定後、複合機１の前まで行ったユーザーが自分の設定した処理条件を呼び出して画像処理を実施する処理手順について、それぞれ具体例を挙げてさらに詳しく説明する。
【００７２】
（１）予約設定処理手順の説明
図３は、画像処理の条件設定を端末装置側で事前に設定する予約設定処理手順を示すフローチャート、図４及び図５は、端末装置の表示部に表示される操作パネルの表示例を示す説明図である。ただし、図３は、左側が端末装置ＰＣの処理手順、右側が複合機１の処理手順となっている。
【００７３】
端末装置ＰＣのユーザーは、表示部５４に表示された図示しないメニュー画面等から複合機１による画像処理を選択すると（ステップＳ１１でＹｅｓ）、表示部５４には、図４に示す個人認証画面１０１が表示される（ステップＳ１２）。この個人認証画面１０１は、その表示形態が複合機１の操作パネル４の表示形態と同じ表示形態となっている。なお、端末装置ＰＣの表示部５４に表示される複合機１の操作パネル４の画像については、複合機１の操作パネル４の各機能ブロックに付与されている符号にダッシュを付して表記するものとする。ただし、この段階では、図４の左側の表示部４ｂ′のみを表示部５４に表示するようにしてもよい。なお、この例では、個人認証用として、ログインとパスワードの２つの情報を入力するようになっているが、個人認証はこれに限定されるものではなく、例えば、パスワードによる認証と指紋による認証とを組み合わせてもよい。また、事前に個人識別用のＩＣカードを付与し、このＩＣカードによる認証、若しくは、ＩＣカードによる認証と例えばパスワードによる認証とを組み合わせるようにしてもよい。この場合には、例えば上記した図４に示す個人認証画面１０１を開き、この画面からさらに別の認証方式を選択できるようにして、上記いずれかの認証方式で個人認証できるようにすればよい。
【００７４】
端末装置ＰＣのユーザーは、この個人認証画面１０１のログイン設定窓１０１ａに例えばユーザーの名前を入力し、パスワード設定窓１０１ｂに自身の設定した例えば４桁のパスワードを入力して、画面右下の［送信］ボタン１０１ｃを押す（ステップＳ１３でＹｅｓ）。なお、各端末装置ＰＣのログイン情報とパスワード情報とは、予め複合機１に登録されているものとする。また、複合機１には、各ユーザーに個別に付与されたＩＤ番号も予め登録されているものとする。これにより、端末装置ＰＣの入力部５３からユーザーによって入力された認識情報（ログイン情報とパスワード情報）が複合機１に送信される（ステップＳ１４）。
【００７５】
複合機１は、各端末装置ＰＣから個人認証用の認識情報を受信したか否かを常に監視している（ステップＳ５１）。そして、任意の端末装置ＰＣから個人認証用の認識情報を受信すると（ステップＳ５１でＹｅｓと判断されると）、内部に予め保存されている各個人の認識情報と比較し（ステップＳ５２）、両認識情報が一致する場合（ステップＳ５２でＹｅｓと判断された場合）には、画像処理の処理条件設定画面の情報をその端末装置ＰＣに送信する（ステップＳ５３）。一方、両認識情報が一致しなかった場合（ステップＳ５２でＮｏと判断された場合）には、エラー処理に移行する（ステップＳ５４）。すなわち、認識情報が一致しなかった旨のメッセージを端末装置ＰＣに送信して処理を終了する。
【００７６】
端末装置ＰＣは、ステップＳ１４で認識情報を送信後、複合機１から処理条件を設定するための設定画面情報が送信されてきたか否か（ステップＳ１５）、または、エラーメッセージが送信されてきたか否か（ステップＳ１６）、を監視する。そして、設定画面情報を受信した場合（ステップＳ１５でＹｅｓと判断された場合）には、その設定画面情報を表示部５４に表示する（ステップＳ１７）。一方、エラーメッセージが送信されてきた場合（ステップＳ１６でＹｅｓと判断された場合）には、そのエラーメッセージを表示部５４に表示して（ステップＳ２２）、ユーザーに認証失敗を通知し、処理を終了する（若しくはステップＳ１１に戻る）。
【００７７】
図５は、表示部５４に表示された処理条件設定画面の例を示している。表示部５４に表示される処理条件設定画面１０２は、図２に示す複合機１の操作パネル４の表示形態と同じ表示形態となっている。従って、ユーザーは、この処理条件設定画面１０２から、画像処理したい処理対象を選択して、処理条件を設定していくことになる（ステップＳ１８）。
【００７８】
ここで、処理条件設定画面の表示や処理条件の設定に際しては、一つのウィンドウに図５に示す処理条件設定画面とその履歴とを表示できるソフトウェアを端末装置ＰＣ上で動作させ、認識情報や、操作パネルやコピーランプなどの表示の更新情報などを、複合機１とやり取りする構成とすればよい。すなわち、このソフトウェアは、複合機１の操作パネルをそのまま再現できる機能と、複合機１へのパネルの更新情報をやり取りする機能とを備えている。
【００７９】
例えば、処理条件設定画面１０２の機能設定キー４１′からプリンタキー４１ａ′を選択すると、プリンターモードに対応した各種処理条件設定画面が表示部４ｂ′に順次表示されていく。また、処理条件設定画面１０２の機能設定キー４１′からファックス／イメージ送信キー４１ｂ′を選択すると、ファックス／イメージ送信モードに対応した各種処理条件設定画面が表示部４ｂ′に順次表示されていく。さらに、処理条件設定画面１０２の機能設定キー４１′からコピーキー４１ｃ′を選択すると、コピーモードに対応した各種処理条件設定画面が表示部４ｂ′に順次表示されていく。ユーザーは、この表示された処理条件設定画面に従って処理条件を順次設定していくことになる。このときの表示順は、当然のことながら複合機１の操作パネル４で操作していった場合の表示順と同じである。
【００８０】
図６Ａは、処理条件設定画面１０２の機能設定キー４１′からファックス／イメージ送信キー４１ｂ′（図５参照）を選択した場合の処理条件設定画面例（ただし、概略イメージ画面）を示している。
【００８１】
ファックス／イメージ送信キー４１ｂ′を選択（マウス等でクリック（例えば、１回クリック））することで、例えばこのファックス／イメージ送信キー４１ｂ′を点灯表示させ、その横の表示部４ｂ′に、ファックス／イメージ送信に必要な処理条件の選択キーを表示した選択画面４ｂ１′を表示する。この例では、選択画面４ｂ１′には、「濃度選択」キーと「用紙選択」キーとが表示されている。ここで、「用紙選択」キーを選択（マウス等でクリック（例えば、２回クリック））することで、図６Ｂに示すように、Ａ４、Ｂ４、Ａ３等といった用紙選択画面が表示されるので、そこから用紙を選択することになる。
【００８２】
なお、図６Ａに示す例では、選択画面４ｂ１′の下に操作機能画面４ｂ２′が表示されている。この部分には、表示部４ｂ′で操作されたキーの機能が、操作順に番号を付して表示されるようになっている。すなわち、上記の例では、最初に操作されたキーがファックス／イメージ送信キー４１ｂ′であるので、「操作１」として「イメージ送信」という操作の機能が表示されている。また、その次に操作されたのが「用紙選択キー」である場合には、「操作１」の下に、「操作２」として「用紙選択」という操作の機能が表示されることになる。
【００８３】
すなわち、端末装置ＰＣでは、複合機１の操作パネル４を画像として表示し、操作パネル４′の画面上のキーをマウスでクリックすることで、複合機１で実際にキー操作が行われたときと同様に、操作パネル４′の画面上で、ランプを点灯させたり、表示画面を更新させる処理を、ソフトウェアによって再現している。また、押されたキーの機能を表示させて、そのキーの機能名を表示させるようになっている。実際の記憶処理では、各キーに固有の番号（Ｎｏ）を付与し、どのキーが押されたかを番号で記憶するようになっている。
【００８４】
このようにして処理条件の設定を終了すると、ユーザーは、処理条件の設定情報（操作された番号情報やその操作順等）を端末装置ＰＣから複合機１に送信する（ステップＳ１９）。
【００８５】
複合機１は、ステップＳ５３で端末装置ＰＣに処理条件設定画面の情報を送信後、端末装置ＰＣから処理条件の設定情報が送信されてきたか否かを監視する（ステップＳ５４）。そして、処理条件の設定情報が送信されてくると（ステップＳ５４でＹｅｓと判断されると）、その設定情報に予約番号（例えば、受付時間順の連続番号）を付与し、当該ユーザーの個人情報（ＩＤ番号、パスワード、名前）と対応付けてＨＤ装置１２の予約保存領域に保存する（ステップＳ５５）。ここで、送信されてきた処理条件の設定情報がどの端末装置ＰＣから送信されてきたものであるのかの特定は、端末装置ＰＣと複合機１との通信時に用いられるＩＰアドレスを確認することによって行うことができる。従って、一つの処理条件の設定情報を予約保存領域に保存する前に、別の処理条件の設定情報が別の端末装置ＰＣから送信されてきた場合であっても、ＩＰアドレスを確認することで、それぞれの端末装置ＰＣ、すなわち、個別のユーザーかから送信されてきたものであることを、複合機１側で認識することができるため、送信されてきた処理条件の設定情報を、それぞれの認識情報に対応させてＨＤ装置１２の予約保存領域に保存することが可能である。
【００８６】
この後、複合機１は、付与した予約番号を該当する端末装置ＰＣに送信して（ステップＳ５６）、予約処理を終了する。
【００８７】
端末装置ＰＣは、ステップＳ１９で処理条件の設定情報を送信後、複合機１から予約番号が送信されてくるのを監視する（ステップＳ２０）。そして、予約番号が送信されてくると（ステップＳ２１でＹｅｓと判断されると）、その予約番号を表示部５４に表示して（ステップＳ２１）、予約処理を終了する。これにより、ユーザーは、予約した処理条件が何番で予約されているのかを確認することができるので、その後の複合機１での画像処理の実施時に、予約した処理条件を確実に呼び出して実施することが可能となる。
【００８８】
複合機１では、上記のようなステップＳ５１〜ステップＳ５６の処理を、任意の端末装置ＰＣから認識情報が送信されてくるたびに実施し、送信されてきた処理条件の設定情報を、ＨＤ装置１２の予約保存領域に、ユーザーごとに順次保存していくことになる。
【００８９】
図７は、ＨＤ装置１２の予約保存領域に保存されている処理条件の設定情報の一例を示している。
【００９０】
図７に示すように、予約保存領域には、ユーザーのＩＤ番号、名前、パスワード、予約番号、予約情報の各情報が、各ユーザーのＩＤ番号ごとに１レコードで記憶されている。例えば、ＩＤ番号「１２３４」、名前「△△△」、パスワード「ａａａａ」のユーザーは、処理条件の設定情報として、予約番号１番の「２ｉｎ１コピー」、予約番号２番の「両面コピー」、予約番号３番の「イメージ送信」の３つの予約を設定しており、ＩＤ番号「５６７８」、名前「□□□」、パスワード「ｂｂｂｂ」のユーザーは、処理条件の設定情報として、予約番号１番の「片面コピー」、予約番号２番の「プリンター」の２つの予約を設定している。
【００９１】
（２）予約した処理条件を呼び出して画像処理を実施する処理手順の説明
図８は、予約した処理条件を呼び出して画像処理を実施する処理手順を示すフローチャート、図９及び図１０Ａ，図１０Ｂは、複合機の操作パネルの表示例を示す説明図である。
【００９２】
予約を行ったユーザーは、画像処理を実施するために、複合機１の前までいくと、例えば操作パネル４の表示部４ｂにメニュー画面を表示し、そのメニュー画面に表示されている予約実施ボタンを押す（ステップＳ７１）。これにより、図４に示す個人認証画面が表示部４ｂに表示される（ステップＳ７２）。従って、ユーザーは、この個人認証画面のログイン設定窓１０２ａにユーザーの名前を入力し、パスワード設定窓１０２ｂに自身の設定した４桁のパスワードを入力して、画面右下の［決定］ボタン１０２ｃを押す（ステップＳ７３）。
【００９３】
これにより、機器制御部８は、入力されたユーザー名とパスワードとから個人を認証し（ステップＳ７４）、一致するユーザー名とパスワードがある場合（ステップＳ７４でＹｅｓと判断された場合）には、ＨＤ装置１２の予約保存領域を検索して、そのユーザーが登録した処理条件の予約情報を抽出し、その予約内容を示す画面を操作パネル４の表示部４ｂに表示する（ステップＳ７５）。一方、ユーザー名またはパスワードの少なくとも一つが一致しない場合（ステップＳ７４でＮｏ判断された場合）には、ステップＳ７２に戻って、個人認証画面を表示部４ｂに再度表示する。
【００９４】
図１０Ａは、予約内容を示す画面の表示例を示している。この例では、図７に示すＩＤ番号「１２３４」、名前「△△△」、パスワード「ａａａａ」のユーザーの予約情報、すなわち処理条件の設定情報を表示している場合を例示している。従って、表示部４ｂには、３つの予約情報が表示されている。また、図１０Ａでは、各予約情報の横に「操作の表示」と表記された欄が表示されている。ユーザーは、予約を実行する前に、予約情報の操作内容を確認したい場合には、この「操作の表示」と表記された欄を選択（クリック）すれば良い。これにより、図１０Ｂに示す操作手順の内容が表示される。すなわち、この例では、予約番号１番の「２ｉｎ１コピー」の処理条件を設定したときの操作手順が表示されており、操作１でコピーを選択し、操作２で用紙選択を操作し、操作３でＡ４用紙を選択したことが表示されている。このように操作手順を表示することで、ユーザーは、自身が事前に設定した予約内容を、実行ボタン（スタートキー４５等）を操作する前に確認することが可能となる。このとき、この確認段階で例えば設定ミス等を発見した場合、または事情が変わって設定を変更したい場合には、設定を変更したい操作を選択して（画面上でクリックして）、設定変更すればよい。
【００９５】
このようにして設定内容を確認後、ユーザーは、処理対象である原稿を複合機１にセットし（ステップＳ７６）、表示されている処理条件の設定情報の中から、実施する予約番号を選択する（ステップＳ７７）。具体的には、表示部４ｂに表示されているいずれかの予約番号の表示窓を選択（画面上でクリック）する。これにより、選択した表示窓の表示色が変わり、他の表示窓が薄いグレーの反転表示となるので、ユーザーは、この状態で操作パネル４のスタートキー４５を押す。これにより、複合機１は、事前に設定されている処理条件に従って、選択された予約番号の画像処理を実施する（ステップＳ７８）。
【００９６】
ユーザーは、表示されている処理条件の設定情報の中から、実施する予約番号を選択する上記操作を、表示されている予約番号の全てについて順次行うことにより、予約した全ての画像処理を実施することができる。
【００９７】
複合機１では、予約されている処理条件の設定情報が実施されると、ＨＤ装置１２の予約保存領域からその実施された予約番号の処理条件の情報を消去する。
【００９８】
［本発明の特徴である処理条件の設定処理（予約設定処理）の具体例２に係る説明］
上記具体例１の構成では、予約保存領域に保存されている処理条件の設定情報は、その予約が実施されたときに消去される構成としているが、ユーザーにとって何度も使用するような設定情報は、その後もそのまま利用できるほうが便利である。そこで、具体例２では、ユーザーが処理条件の設定処理（予約設定処理）を行った場合に、複合機１側でその設定情報を予約保存とは別に履歴として残しておき、ユーザーから認識情報が送信されてくることによって新たな処理条件の予約要求があった場合には、履歴として残しておいた処理条件を読み出して利用できるようにしている。
【００９９】
従って、具体例２では、設定情報を履歴として残すために、ＨＤ装置１２は、予約保存領域とは別に、予約保存領域に保存されているユーザー（設定者）ごとの処理条件と認識情報とを、画像処理実施後も設定履歴として保存する設定履歴保存領域（設定履歴保存手段）を備えている。そして、端末装置ＰＣから認識情報が送信されてくると、複合機１の機器制御部８は、まず、ＨＤ装置１２の設定履歴保存領域に保存されている認識情報と比較し、一致する認識情報がある場合には、その認識情報に対応付けられている処理条件を事前に入力した処理条件設定画面の情報を作成して、端末装置ＰＣに送信する構成としている。
【０１００】
このような構成とすれば、端末装置ＰＣのユーザーは、処理条件の予約を行うためにメニュー画面等から複合機１を選択し、図４に示す個人認証画面からログイン名とパスワードとを入力して複合機１に送信すると、複合機１から、以前にユーザー自身が設定した処理条件が事前に入力された処理条件設定画面の情報が送信されてくるので、ユーザーは、表示部５４に表示された処理条件が事前に入力された処理条件設定画面の内容に変更が無い場合には、その内容をそのまま複合機１に送信するだけで、今回の画像処理の処理条件を設定できることになる。また、変更がある場合でも、変更部分の処理条件項目のみを設定変更すれば良いので、処理条件の設定時間を大幅に短縮することができる。
【０１０１】
また、具体例２では、複合機１は、端末装置ＰＣから送信されてきた処理条件及び認識情報に、ＨＤ装置１２の設定履歴保存領域に保存する旨の指示情報が含まれている場合にのみ、処理条件及び認識情報を設定履歴保存領域に保存する構成とすることができる。このような構成とすれば、設定履歴保存領域に保存する処理条件を、端末装置ＰＣを使用するユーザー側で決定できるので、例えば、ユーザーが良く使用する処理条件のみをユーザー側の判断で保存することができる。
【０１０２】
（３）予約設定処理において設定した処理条件を履歴として残す処理手順の説明
以下、設定した処理条件を複合機１に履歴として残す処理手順について具体的に説明する。
【０１０３】
設定した処理条件を複合機１に履歴として残す処理は、上記した予約設定処理手順の中で一連に行われる。具体的には、図３に示すステップＳ１９で処理条件の設定を終了すると、端末装置ＰＣの表示部５４には、複合機１の操作パネル４に対応した表示形態の図１１に示す内容確認画面１１０が表示される。
【０１０４】
この内容確認画面１１０には、操作パネル４の表示部４ｂに対応する表示部４ｂ′に、処理条件の設定内容が一覧表示されており、その一覧表示された設定内容の下に、「この設定を履歴として保存する」と表記されたチック窓１１０ａが設けられている。従って、ユーザーは、今回設定した処理条件の内容を今後も使用したい場合には、このチック窓１１０ａにチェックを入れてから、その横の「送信」ボタン１１０ｂを操作する。これにより、端末装置ＰＣからは、処理条件の設定情報とともに、履歴として保存する旨の指示情報が複合機１に送信される。
【０１０５】
複合機１では、ステップＳ５４において端末装置ＰＣから処理条件の設定情報が送信されてきたことを確認するときに、履歴として保存する旨の指示情報（以下、保存指示情報という。）の有無も同時に確認し、保存指示情報がある場合には、ステップＳ５５において設定情報をＨＤ装置１２の予約保存領域に保存する際に、同じ設定情報をＨＤ装置１２の設定履歴保存領域にも保存する。
【０１０６】
例えば、ＨＤ装置１２の予約保存領域に保存されている図７に示す処理条件の設定情報のうち、ＩＤ番号「１２３４」に対応する３つの予約情報の中の予約番号１のみに保存指示情報が付加されており、ＩＤ番号「５６７８」に対応する２つの予約情報の中の予約番号２のみに保存指示情報が付加されていた場合、ＨＤ装置１２の設定履歴保存領域には、図１２に示す内容の処理条件の設定情報が保存されることになる。
【０１０７】
（４）設定履歴保存領域に保存されている設定情報を用いた予約設定処理手順の説明
次に、このようにして設定履歴保存領域に各ユーザーの処理条件の設定情報が保存されている状態において、複合機１での画像処理の条件設定を端末装置ＰＣ側で事前に設定する予約設定処理手順について説明する。
【０１０８】
図１３は、設定履歴保存領域に保存されている処理条件の設定情報（以下、設定履歴情報ともいう。）を利用して、画像処理の条件設定を端末装置側で事前に設定する予約設定処理手順を示すフローチャートである。ただし、図１３に示すフローチャートの各ステップの処理は、図３に示すフローチャートの各ステップの処理とほとんど同じであるため、同じ処理ステップには同じステップ番号を付すこととして、詳細な説明を省略する。
【０１０９】
端末装置ＰＣのユーザーは、表示部５４に表示された図示しないメニュー画面等から複合機１による画像処理を選択すると（ステップＳ１１でＹｅｓと判断されると）、表示部５４には、図４に示す個人認証画面１０１が表示される（ステップＳ１２）。従って、端末装置ＰＣのユーザーは、この個人認証画面１０１のログイン設定窓１０１ａにユーザーの名前を入力し、パスワード設定窓１０１ｂに自身の設定した４桁のパスワードを入力して、画面右下の［送信］ボタン１０１ｃを押す（ステップＳ１３でＹｅｓ）。これにより、端末装置ＰＣの入力部５３からユーザーによって入力された認識情報（ログイン情報とパスワード情報）が複合機１に送信される（ステップＳ１４）。
【０１１０】
複合機１は、各端末装置ＰＣから個人認証用の認識情報を受信したか否かを常に監視している（ステップＳ５１）。そして、任意の端末装置ＰＣから個人認証用の認識情報を受信すると（ステップＳ５１でＹｅｓと判断されると）、予め内部に保存されている各個人の認識情報と比較する（ステップＳ５２）。その結果、両認識情報が一致する場合（ステップＳ５２でＹｅｓと判断された場合）には、次に、ＨＤ装置１２の設定履歴保存領域を検索して、その認識情報に対応した設定履歴情報が保存されているか否かを確認する（ステップＳ５２−１）。その結果、設定履歴情報が保存されている場合（ステップＳ５２−１でＹｅｓと判断された場合）には、その認識情報に対応付けられている設定履歴情報（処理条件の設定情報）を設定履歴保存領域から読み出し、その処理条件を事前に入力した処理条件設定画面の情報を作成して、端末装置ＰＣに送信する（ステップＳ５２−２）。
【０１１１】
一方、ステップＳ５２−１の判断において、認識情報に対応した設定履歴情報が設定履歴保存領域に保存されていないと判断した場合（ステップＳ５２−１でＮｏと判断した場合）には、画像処理の処理条件を設定するための処理条件設定画面の情報（ただし、この場合には、各処理条件項目には何も入力されていない）を作成して、端末装置ＰＣに送信する（ステップＳ５３）。複合機１でのその後の処理は、既に説明した通りであるので、ここではその後のステップの説明を省略する。
【０１１２】
一方、端末装置ＰＣは、ステップＳ１４で認識情報を送信後、複合機１から処理条件設定画面の情報が送信されてきたか否か（ステップＳ１５）、または、エラーメッセージが送信されてきたか否か（ステップＳ１６）、を監視する。そして、処理条件設定画面の情報を受信した場合（ステップＳ１５でＹｅｓと判断された場合）には、その処理条件設定画面の情報を表示部５４に表示する（ステップＳ１７）。この場合、ステップＳ５２−２で作成された処理条件設定画面の情報（すなわち、処理条件を事前に入力した処理条件設定画面の情報）が送信されてきた場合には、図示は省略しているが、表示部５４には、各処理条件項目に既に処理条件が入力された処理条件設定画面が表示されることになる。従って、ユーザーは、その設定内容でよければ、何も変更することなく（すなわち、ステップＳ１９で実質的な処理条件の設定を何もすることなく）、その表示された処理条件の設定情報をそのまま端末装置ＰＣから複合機１に送信すればよい（ステップＳ１９）。端末装置ＰＣでのその後の処理は、既に説明した通りであるので、ここではその後のステップの説明を省略する。
【０１１３】
＜実施形態２＞
図１４は、画像処理装置と端末装置とサーバ装置とがネットワークを介して接続された本発明の実施形態２に係る画像処理システムの概略構成を示す機能ブロック図である。すなわち、実施形態１では、端末装置ＰＣで設定した処理条件の設定情報を複合機１に送信し、複合機１のＨＤ装置１２の予約保存領域に保存する構成としているが、実施形態２では、端末装置ＰＣで設定した処理条件の設定情報をサーバ装置３に送信し、サーバ装置３の予約保存領域３ａに保存する構成としている。また、実施形態１では、ＨＤ装置１２の予約保存領域に保存されている処理条件の設定情報を、履歴として残すために、ＨＤ装置１２に別途、設定履歴保存領域を設け、履歴として残す処理条件の設定情報をこの設定履歴保存領域に保存する構成としているが、実施形態２では、サーバ装置３に設定履歴保存領域３ｂを設け、この設定履歴保存領域３ｂに、履歴として残す処理条件の設定情報を保存する構成としている。
【０１１４】
そのため、図１４に示す画像処理システムでは、ネットワークＮＷに、予約保存領域３ａと設定履歴保存領域３ｂとを有するサーバ装置３が接続されている。その他の構成は、図１に示す画像処理システムの構成と同じであるので、ここでは機能ブロック図の説明は省略する。
【０１１５】
次に、実施形態２に係る画像処理システムにおいて、（５）複合機１での画像処理の条件設定を端末装置ＰＣ側で事前に設定する予約設定処理手順、及び、（６）予約設定後、複合機１の前まで行ったユーザーが自分の設定した処理条件を呼び出して画像処理を実施する処理手順について説明する。
【０１１６】
（５）予約設定処理手順の説明
図１５は、画像処理の条件設定を端末装置側で事前に設定する予約設定処理手順を示すフローチャートである。ただし、図１５は、左側が端末装置ＰＣの処理手順、右上側が複合機１の処理手順、右下側がサーバ装置３の処理手順となっている。また、実施形態２では、図１５に示すフローチャートのほとんどの手順が実施形態１の図３に示すフローチャートとほぼ同じであるので、同じ処理手順には同じステップ番号を付すこととし、処理の異なるステップは、ステップ番号の横にダッシュを付して区別するものとする。
【０１１７】
すなわち、端末装置ＰＣのユーザーが、表示部５４に表示された図示しないメニュー画面等から複合機１による画像処理を選択する処理（ステップＳ１１）から開始し、複合機１での認証処理（ステップＳ５１〜ステップＳ５３）を経て、ステップＳ１８で処理条件を設定するまでは、実施形態１と同じである。
【０１１８】
そして、ステップＳ１８において処理条件の設定を終了すると、ユーザーは、処理条件の設定情報（操作された番号情報やその操作順等）を端末装置ＰＣからサーバ装置３に送信する（ステップＳ１９′）。
【０１１９】
サーバ装置３は、端末装置ＰＣから処理条件の設定情報が送信されてきたか否かを常に監視している（ステップＳ５４）。そして、処理条件の設定情報が送信されてくると（ステップＳ５４でＹｅｓと判断されると）、その設定情報に予約番号（例えば、受付時間順の連続番号）を付与し、当該ユーザーの個人情報（ＩＤ番号、パスワード、名前）と対応付けて予約保存領域３ａに保存する（ステップＳ５５′）。ここで、送信されてきた処理条件の設定情報がどの端末装置ＰＣから送信されてきたものであるのかの特定は、端末装置ＰＣとサーバ装置３との通信時に用いられるＩＰアドレスを確認することによって行うことができる。従って、一つの処理条件の設定情報を予約保存領域３ａに保存する前に、別の処理条件の設定情報が別の端末装置ＰＣから送信されてきた場合であっても、ＩＰアドレスを確認することで、それぞれの端末装置ＰＣ、すなわち、個別のユーザーかから送信されてきたものであることを、サーバ装置３側で認識することができるため、送信されてきた処理条件の設定情報を、それぞれの認識情報に対応させてサーバ装置３の予約保存領域３ａに保存することが可能である。
【０１２０】
この後、サーバ装置３は、付与した予約番号を該当する端末装置ＰＣに送信して（ステップＳ５６）、予約処理を終了する。
【０１２１】
端末装置ＰＣは、ステップＳ１９′で処理条件の設定情報を送信後、サーバ装置３から予約番号が送信されてくるのを監視する（ステップＳ２０）。そして、予約番号が送信されてくると（ステップＳ２１でＹｅｓと判断されると）、その予約番号を表示部５４に表示して（ステップＳ２１）、予約処理を終了する。これにより、ユーザーは、予約した処理条件が何番で予約されているのかを確認することができるので、その後の複合機１での画像処理の実施時に、予約した処理条件を確実に呼び出して実施することが可能となる。
【０１２２】
（６）予約した処理条件を呼び出して画像処理を実施する処理手順の説明
図１６は、予約した処理条件を呼び出して画像処理を実施する処理手順を示すフローチャートである。ただし、実施形態２では、図１６に示すフローチャートのほとんどの手順が実施形態１と同じであるので、同じ処理手順には同じステップ番号を付すこととし、処理の異なるステップには、ステップ番号の横にダッシュを付して区別するものとする。
【０１２３】
すなわち、予約を行ったユーザーは、画像処理を実施するために、複合機１の前までいくと、例えば操作パネル４の表示部４ｂにメニュー画面を表示し、そのメニュー画面に表示されている予約実施ボタンを押す（ステップＳ７１）。これにより、図４に示す個人認証画面が表示部４ｂに表示される（ステップＳ７２）。従って、ユーザーは、この個人認証画面のログイン設定窓１０２ａにユーザーの名前を入力し、パスワード設定窓１０２ｂに自身の設定した４桁のパスワードを入力して、画面右下の［決定］ボタン１０２ｃを押す（ステップＳ７３）。
【０１２４】
これにより、機器制御部８は、入力されたユーザー名とパスワードとから個人を認証し（ステップＳ７４）、一致するユーザー名とパスワードがある場合（ステップＳ７４でＹｅｓと判断された場合）には、ネットワークＮＷを介してサーバ装置３の予約保存領域３ａを検索し、そのユーザーが登録した処理条件の予約情報をサーバ装置３から取得して、その予約内容を示す画面を操作パネル４の表示部４ｂに表示する（ステップＳ７５′）。一方、ユーザー名またはパスワードの少なくとも一つが一致しない場合（ステップＳ７４でＮｏ判断された場合）には、ステップＳ７２に戻って、個人認証画面を表示部４ｂに再度表示する。
【０１２５】
そして、この段階で実施形態１と同様に必要があれば修正等を行った後、ユーザーは、処理対象である原稿を複合機１にセットし（ステップＳ７６）、表示されている処理条件の設定情報の中から、実施する予約番号を選択する（ステップＳ７７）。具体的には、表示部４ｂに表示されているいずれかの予約番号の表示窓を選択（画面上でクリック）する。これにより、選択した表示窓の表示色が変わり、他の表示窓が薄いグレーの反転表示となるので、ユーザーは、この状態で操作パネル４のスタートキー４５を押す。これにより、複合機１は、事前に設定されている処理条件に従って、選択された予約番号の画像処理を実施する（ステップＳ７８）。
【０１２６】
ユーザーは、表示されている処理条件の設定情報の中から、実施する予約番号を選択する上記操作を、表示されている予約番号の全てについて順次行うことにより、予約した全ての画像処理を実施することができる。
【０１２７】
複合機１では、予約されている処理条件の設定情報が実施されると、サーバ装置３に消去要求信号を送信し、サーバ装置３は、この消去要求信号に基づいて予約保存領域３ａからその実施された予約番号の処理条件の情報を消去する。
【０１２８】
（７）予約設定処理において設定した処理条件を履歴として残す処理手順の説明
以下、設定した処理条件をサーバ装置３に履歴として残す処理手順について具体的に説明する。ただし、処理手順については、図１５に示すフローチャート及び図１１を用いて説明を行うこととする。
【０１２９】
設定した処理条件をサーバ装置３に履歴として残す処理は、上記した予約設定処理手順の中で一連に行われる。具体的には、図１５に示すステップＳ１９′で処理条件の設定を終了すると、端末装置ＰＣの表示部５４には、複合機１の操作パネル４に対応した表示形態の図１１に示す内容確認画面１１０が表示される。
【０１３０】
この内容確認画面１１０には、すでに説明したように、一覧表示された設定内容の下に、「この設定を履歴として保存する」と表記されたチック窓１１０ａが設けられている。従って、ユーザーは、今回設定した処理条件の内容を今後も使用したい場合には、このチック窓１１０ａにチェックを入れてから、その横の「送信」ボタン１１０ｂを操作する。これにより、端末装置ＰＣからは、処理条件の設定情報とともに、履歴として保存する旨の指示情報がサーバ装置３に送信される。
【０１３１】
サーバ装置３では、ステップＳ５４において端末装置ＰＣから処理条件の設定情報が送信されてきたことを確認するときに、履歴として保存する旨の指示情報（以下、保存指示情報という。）の有無も同時に確認し、保存指示情報がある場合には、ステップＳ５５′において設定情報を予約保存領域３ａに保存する際に、同じ設定情報を設定履歴保存領域３ｂにも保存する。
【０１３２】
（８）設定履歴保存領域に保存されている設定情報を用いた予約設定処理手順の説明
次に、このようにしてサーバ装置３の設定履歴保存領域３ｂに各ユーザーの処理条件の設定情報が保存されている状態において、複合機１での画像処理の条件設定を端末装置ＰＣ側で事前に設定する予約設定処理手順について説明する。
【０１３３】
図１７は、設定履歴保存領域に保存されている処理条件の設定情報（以下、設定履歴情報ともいう。）を利用して、画像処理の条件設定を端末装置側で事前に設定する予約設定処理手順を示すフローチャートである。ただし、図１７に示すフローチャートの各ステップの処理は、図１３に示すフローチャートの各ステップの処理とほとんど同じであるため、同じ処理ステップには同じステップ番号を付すこととして、詳細な説明を省略する。
【０１３４】
端末装置ＰＣのユーザーは、表示部５４に表示された図示しないメニュー画面等から複合機１による画像処理を選択すると（ステップＳ１１でＹｅｓと判断されると）、表示部５４には、図４に示す個人認証画面１０１が表示される（ステップＳ１２）。従って、端末装置ＰＣのユーザーは、この個人認証画面１０１のログイン設定窓１０１ａにユーザーの名前を入力し、パスワード設定窓１０１ｂに自身の設定した４桁のパスワードを入力して、画面右下の［送信］ボタン１０１ｃを押す（ステップＳ１３でＹｅｓ）。これにより、端末装置ＰＣの入力部５３からユーザーによって入力された認識情報（ログイン情報とパスワード情報）が複合機１に送信される（ステップＳ１４）。
【０１３５】
複合機１は、各端末装置ＰＣから個人認証用の認識情報を受信したか否かを常に監視している（ステップＳ５１）。そして、任意の端末装置ＰＣから個人認証用の認識情報を受信すると（ステップＳ５１でＹｅｓと判断されると）、予め内部に保存されている各個人の認識情報と比較する（ステップＳ５２）。その結果、両認識情報が一致する場合（ステップＳ５２でＹｅｓと判断された場合）には、次に、ネットワークＮＷを介してサーバ装置１３に接続し、サーバ装置１３の設定履歴保存領域３ｂを検索して、その認識情報に対応した設定履歴情報が保存されているか否かを確認する（ステップＳ５２−１′）。その結果、設定履歴情報が保存されている場合（ステップＳ５２−１でＹｅｓと判断された場合）には、その認識情報に対応付けられている設定履歴情報（処理条件の設定情報）をサーバ装置３の設定履歴保存領域３ｂから読み出して取得し、その処理条件を事前に入力した処理条件設定画面の情報を作成して、端末装置ＰＣに送信する（ステップＳ５２−２′）。
【０１３６】
一方、ステップＳ５２−１′の判断において、認識情報に対応した設定履歴情報がサーバ装置３の設定履歴保存領域３ａに保存されていないと判断した場合（ステップＳ５２−１′でＮｏと判断した場合）には、画像処理の処理条件を設定するための処理条件設定画面の情報（ただし、この場合には、各処理条件項目には何も入力されていない）を作成して、端末装置ＰＣに送信する（ステップＳ５３）。
【０１３７】
一方、端末装置ＰＣは、ステップＳ１４で認識情報を送信後、複合機１から処理条件設定画面の情報が送信されてきたか否か（ステップＳ１５）、または、エラーメッセージが送信されてきたか否か（ステップＳ１６）、を監視する。そして、処理条件設定画面の情報を受信した場合（ステップＳ１５でＹｅｓと判断された場合）には、その処理条件設定画面の情報を表示部５４に表示する（ステップＳ１７）。この場合、ステップＳ５２−２′で作成された処理条件設定画面の情報（すなわち、処理条件を事前に入力した処理条件設定画面の情報）が送信されてきた場合には、図示は省略しているが、表示部５４には、各処理条件項目に既に処理条件が入力された処理条件設定画面が表示されることになる。従って、ユーザーは、その設定内容でよければ、何も変更することなく（すなわち、ステップＳ１９′で実質的な処理条件の設定を何もすることなく）、その表示された処理条件の設定情報をそのまま端末装置ＰＣからサーバ装置３に送信すればよい（ステップＳ１９′）。端末装置ＰＣでのその後の処理は、既に説明した通りであるので、ここではその後のステップの説明を省略する。また、サーバ装置３でのその後の処理も既に説明した通りであるので、ここではその後のステップの説明を省略する。
【０１３８】
なお、上記各実施形態では、設定履歴情報を各ユーザーごとに１つのみ保存する構成として説明しているが、１つに限定されるものではない。すなわち、具体例２の複合機１では、図２に示すように、動作モードとして、プリンターモード、ファックス／イメージ送信モード、コピーモードの３つのモードを備えている。従って、設定履歴の保存も、これらのモードに合わせて１種類ずつ保存できるようにしてもよい。この場合、２つ以上のモードで設定履歴を保存している場合には、複合機１から端末装置ＰＣに処理条件設定画面の情報を送信するときに、これら全てのモードに対応した処理条件を事前に入力した処理条件設定画面の情報を作成して、端末装置ＰＣに送信するようにすればよい。これにより、端末装置ＰＣ側で所望のモードを選択すると、そのモードに合わせて事前に処理条件が入力された処理条件設定画面が順次表示されることになる。
【０１３９】
これにより、端末装置ＰＣのユーザーは、各モードの処理条件が事前に入力された処理条件設定画面を用いて所望するモードの処理条件を設定することができるので、変更の必要のない処理条件項目についてはそのまま利用することができるため、処理条件の設定操作を簡略化し、処理条件の設定時間を大幅に短縮することができる。
【０１４０】
なお、１つの動作モードについて既に設定履歴情報が保存されている場合において、その同じ動作モードに新たな保存指示情報が送信されてきた場合には、複合機１は、古い設定履歴情報を消去して、新しく送信されてきた処理条件の設定情報を設定履歴情報として保存する（すなわち、上書き保存する）ように構成すればよい。
【符号の説明】
【０１４１】
１  デジタル複合機（複合機）
２  画像読取部
２ａ  ＣＣＤ
２ｂ  原稿検知センサー
２ｃ  信号発生回路
３  サーバ装置
３ａ  予約保存領域（保存手段）
３ｂ  設定履歴保存領域（設定履歴保存手段）
４  操作部（操作パネル）
４ａ  入力部（画像処理側操作入力手段）
４ｂ  表示部
６  画像形成部
６ａ  メモリ
６ｂ  印字部（ＬＳＵ）
６ｃ  画像処理部
８  機器制御部（認証手段）
１０  通信部（送信手段）
１０ａ  ＮＩＣ（ネットワーク・インターフェース・コントロール）
１０ｂ  ＦＡＸモデム
１４  管理部
１２  ハードディスク（ＨＤ）装置（保存手段，設定履歴保存手段）
１４  管理部
２２  消去手段
２３  排出トレイ
４１  機能設定キー
４２  システム設定キー
４３  テンキー
４４  クリアキー
４５  スタートキー
４６  機能キー
５１  装置制御部
５２  通信部（送信手段）
５３  入力部（端末側操作入力手段）
５４  表示部
５５  ＲＡＭ
５６  ＲＯＭ
５６ａ  制御プログラム
５６ｂ  プリンタドライバ
５７  補助記憶部
５９  バス
Ｐ  複写物
ＰＣ  端末装置
ＦＡＸ  端末装置
ＮＷ  ネットワーク
ＩＮ  インターネット
【図１】
2011234194.tif 000003
【図２】
2011234194.tif 000004
【図３】
2011234194.tif 000005
【図４】
2011234194.tif 000006
【図５】
2011234194.tif 000007
【図６Ａ】
2011234194.tif 000008
【図６Ｂ】
2011234194.tif 000009
【図７】
2011234194.tif 000010
【図８】
2011234194.tif 000011
【図９】
2011234194.tif 000012
【図１０Ａ】
2011234194.tif 000013
【図１０Ｂ】
2011234194.tif 000014
【図１１】
2011234194.tif 000015
【図１２】
2011234194.tif 000016
【図１３】
2011234194.tif 000017
【図１４】
2011234194.tif 000018
【図１５】
2011234194.tif 000019
【図１６】
2011234194.tif 000020
【図１７】
2011234194.tif 000021